(57)【要約】【課題】本発明が解決しようとする課題は、無線タグが付されている商品について取消操作を行った場合に、すべての商品について最初から読取操作を行わなくてもよい物品情報読取装置およびプログラムを提供することである。【解決手段】実施形態の物品情報読取装置は、第１記憶部と、アンテナが受信した物品に付された無線タグに記憶されているタグ情報に基づいて取得した第１物品特定情報を前記第１記憶部に記憶する第１記憶制御部と、第２記憶部と、前記無線タグ以外に基づいて取得した第２物品特定情報を前記第２記憶部に記憶する第２記憶制御部と、第１取消指示部と、前記第１取消指示部が操作されると、前記第１物品特定情報で特定される物品について取消処理を実行する第１取消制御部と、を備える。【選択図】図７
2020135400.tif 000002
【特許請求の範囲】
【請求項１】
第１記憶部と、
アンテナが受信した物品に付された無線タグに記憶されているタグ情報に基づいて取得した第１物品特定情報を前記第１記憶部に記憶する第１記憶制御部と、
第２記憶部と、
前記無線タグ以外に基づいて取得した第２物品特定情報を前記第２記憶部に記憶する第２記憶制御部と、
第１取消指示部と、
前記第１取消指示部が操作されると、前記第１物品特定情報で特定される物品について取消処理を実行する第１取消制御部と、
を備える物品情報読取装置。
【請求項２】
第２取消指示部と、
前記第２取消指示部が操作されると、前記第１物品特定情報および前記第２物品特定情報で特定される物品について取消処理を実行する第２取消制御部と、をさらに備えた、
請求項１に記載の物品情報読取装置。
【請求項３】
前記アンテナ付近に設けられた所定のエリア内に位置している複数の物品に付された前記無線タグから前記タグ情報を一括で読み取る一括読取部、をさらに備え、
前記第１取消制御部は、前記一括読取部がタグ情報を読み取った物品について一括で取消処理を実行する、
請求項１または２に記載の物品情報読取装置。
【請求項４】
前記第１記憶制御部が前記第１物品特定情報を前記第１記憶部に記憶した場合、および前記第２記憶制御部が前記第２物品特定情報を前記第２記憶部に記憶した場合に、音声を報知する報知部、をさらに備えた、
請求項１乃至３のいずれか一に記載の物品情報読取装置。
【請求項５】
前記記憶された物品の物品特定情報を取得した媒体を示す情報を表示する表示部、をさらに備えた、
請求項４に記載の物品情報読取装置。
【請求項６】
第１記憶部と、第２記憶部と、第１取消指示部とを備えた物品情報読取装置としてのコンピュータを、
アンテナが受信した物品に付された無線タグに記憶されているタグ情報に基づいて取得した第１物品特定情報を前記第１記憶部に記憶する第１記憶制御部と、
前記無線タグ以外に基づいて取得した第２物品特定情報を前記第２記憶部に記憶する第２記憶制御部と、
前記第１取消指示部が操作されると、前記第１物品特定情報で特定される物品について取消処理を実行する第１取消制御部と、
して機能させるためのプログラム。
【発明の詳細な説明】
【技術分野】
【０００１】
本発明の実施形態は、物品情報読取装置およびプログラムに関する。
【背景技術】
【０００２】
従来、商品等に付されたバーコード等のシンボルをバーコードリーダ等で読み取って、当該シンボルが付された商品を特定する商品コードを取得し、取得した商品コードに基づいて当該商品の売上登録処理を実行するＰＯＳ（Point  of  Sales）端末等の物品情報読取装置が存在する。
【０００３】
また最近は、シンボルに代わる無線タグを商品に付して、無線タグが発信するタグ情報をタグリーダが読み取って売上登録処理を実行する機能を備えたＰＯＳ端末が存在する。そして最近は、シンボルのみが付してある商品と無線タグのみが付してある商品が混在して店舗内に陳列され、販売されることがあるため、ＰＯＳ端末は、両方を読み取れるように、バーコードリーダおよびタグリーダを備えている。
【０００４】
店員等の操作者は、顧客が購入する商品（例えば顧客がカゴに入れて持参した商品）について、無線タグが付された商品とシンボルが付された商品とを区分けして、シンボルが付された商品は当該シンボルをバーコードリーダで読ませる。また、無線タグが付されている商品はアンテナの上に載置し、無線タグが発信しているタグ情報を一括して読ませる。
【０００５】
ところで、無線タグが発信するタグ情報には、個品を特定する個品コードが含まれている。一方、ＰＯＳ端末は、タグ情報を読み取って当該商品の種類を特定する商品コードを取得する。取得した商品コードからは当該商品の個品コードを特定することができない。そのため、無線タグが付された商品に同一の商品コードが付された同一種類の複数個の商品が存在する場合、商品を返品する際に返品する商品の個品を特定できない。そのため、無線タグが付されている商品のうちの特定の商品を返品する場合、操作者はすべての商品について取り消しを一括して行う一括取消の操作を行う。この場合、バーコードリーダでシンボルを読み取った商品も取消される。また、例えば操作部からワンタッチキー等を操作して入力した商品についても、同様に取り消される。
【０００６】
そのため、無線タグが付されている商品について一括取消を行うと、バーコードリーダで読み取った商品や操作部から入力した商品を含め、最初から商品の読み取り操作や入力操作を行っていた。
【発明の概要】
【発明が解決しようとする課題】
【０００７】
本発明が解決しようとする課題は、無線タグが付されている商品について取消操作を行った場合に、すべての商品について最初から読取操作を行わなくてもよい物品情報読取装置およびプログラムを提供することである。
【課題を解決するための手段】
【０００８】
実施形態の物品情報読取装置は、第１記憶部と、アンテナが受信した物品に付された無線タグに記憶されているタグ情報に基づいて取得した第１物品特定情報を前記第１記憶部に記憶する第１記憶制御部と、第２記憶部と、前記無線タグ以外に基づいて取得した第２物品特定情報を前記第２記憶部に記憶する第２記憶制御部と、第１取消指示部と、前記第１取消指示部が操作されると、前記第１物品特定情報で特定される物品について取消処理を実行する第１取消制御部と、を備える。
を備える。
【図面の簡単な説明】
【０００９】
【図１】図１は、実施形態に係るＰＯＳ端末を含む全体構成の外観を示す斜視図である。
【図２】図２は、ＰＯＳ端末のハードウェア構成を示すブロック図である。
【図３】図３は、第１記憶部のメモリ構成の一例を示す図である。
【図４】図４は、第２記憶部のメモリ構成の一例を示す図である。
【図５】図５は、商品情報部のメモリ構成の一例を示す図である。
【図６】図６は、ＰＯＳ端末の機能構成を示す機能ブロック図である。
【図７】図７は、ＰＯＳ端末の制御処理の流れを示すフローチャートである。
【発明を実施するための形態】
【００１０】
以下、図面を参照して、実施の形態について説明する。なお、実施形態では、ＰＯＳ端末１を物品情報読取装置の一例として説明する。店舗で販売される商品を物品の一例として説明する。また、実施形態のＰＯＳ端末１は、例えばＲＦＩＤの技術を用いて、商品に付された無線タグに記憶された商品に係るタグ情報（無線タグを特定するタグＩＤ（Identification）と商品を特定する商品コードを含む）を受信して読み取る。また、実施形態のＰＯＳ端末１は、ＲＦＩＤの技術を用いて、決済処理された商品に付された無線タグに対し、決済処理をしたことを示す情報を送信して書き込む。なお、以下に説明する実施形態により、この発明が限定されるものではない。また、実施形態のＰＯＳ端末１は、商品に付されたバーコードや二次元コード等のシンボルを、光学的または撮像して読み取る。
【００１１】
図１は、チェックアウトカウンタＴにタグリーダ３０およびＰＯＳ端末１を設けた全体構成を示す外観斜視図である。ＰＯＳ端末１は、例えばスーパーマーケット等の店舗に設置されていて、顧客が購入した商品Ｍの売上登録処理および決済処理を行う。タグリーダ３０（一括読取部）は、商品Ｍに付された無線タグに記憶されたタグ情報を、電波を用いて非接触で一括して読み取る。
【００１２】
売上登録処理とは、販売される商品Ｍに係る商品コードを取得し、取得した商品コードに基づいて読み出した、当該商品Ｍの商品名や価格（商品情報）を商品マスタ１４２（図２を参照）から呼び出して表示するとともに、当該商品情報を商品情報部１３１（図２を参照）に記憶する処理をいう。決済処理とは、売上登録処理に伴い商品情報部１３１に記憶された商品情報に基づいて、当該取引に係る合計金額の表示、顧客から預かった預り金に基づいて釣銭を計算して表示する処理、釣銭の発行を釣銭機に指示する処理、商品情報や決済情報（合計金額、預り金額、釣銭額等）を印字したレシートを発行する処理等をいう。
【００１３】
ＰＯＳ端末１は、図１に示すように、本体２と、店員用表示部２２と、客用表示部２３と、操作部２１と、バーコードリーダ３３と、カードリーダ２９と、プリンタ２４と、ドロワ９とを備える。またＰＯＳ端末１は、タグリーダ３０と電気的に接続されている。また、本体２は、内部に、制御部１００（いずれも図２を参照）と電源部（図示せず）とを備える。
【００１４】
店員用表示部３は、本体２の上部に、チェックアウトカウンタＴの店員側に向けて設けられている。店員用表示部３は、バーコードリーダ３３によって読取られシンボルに基づいて商品マスタ１４２（図２を参照）から取得した商品情報に基づいて、商品Ｍの名称や価格等を店員に表示する。
【００１５】
客用表示部２３は、店員用表示部３に背面対向して、チェックアウトカウンタＴの顧客側に向けて取り付けられている。客用表示部２３は、バーコードリーダ３３によって読取られたシンボルに基づいて取得した商品情報に基づいて、商品Ｍの名称や価格等を顧客に表示する。
【００１６】
操作部２１は、顧客が購入する商品Ｍの売上登録処理の終了を宣言する終了キー等のキーを備えるキーボードである。なお、店員用表示部２２が、店員の押下操作による指示を認識するタッチパネルの機能を備えている場合、タッチパネルも操作部に該当する。
【００１７】
バーコードリーダ３３は、各商品Ｍに付されたバーコードや２次元コード等のシンボルを光学的にまたは撮像して読み取る装置であり、チェックアウトカウンタＴの中央部で使用できるよう配置されている。なお、各商品Ｍには、無線タグまたはシンボルのいずれか一つが付されている。ＰＯＳ端末１は、読み取ったシンボルやタグ情報に基づいて当該商品の種類を特定する商品コードを取得する。
【００１８】
カードリーダ２９は、カード挿入口から挿入された客のポイントカードやクレジットカードの情報を、磁気的または電気的に読み込む。
【００１９】
プリンタ２４は、決済処理した商品Ｍに係る商品情報や決済情報をレシート用紙に印字する。プリンタ２４は、商品情報や決済情報を印字したレシートを発行する。
【００２０】
ドロワ９は、開閉可能な引き出しを備えて、引き出しの中に現金や有価証券等を収容する。店員は、顧客から預かった現金（硬貨や紙幣）や有価証券をドロワ９に収納する。店員は、ドロワ９から釣銭を取り出して、レシートと共に顧客に渡す。
【００２１】
次に、タグリーダ３０の構成について説明する。タグリーダ３０は、チェックアウトカウンタＴに多少埋没されるように設置される。タグリーダ３０は、チェックアウトカウンタＴ上の商品Ｍを載置する位置である所定エリアＥの真下付近に設置される。
【００２２】
タグリーダ３０は、商品Ｍに付されたタグ、実施形態では、特にＵＨＦ帯で動作する無線タグに記憶されたタグ情報を読み取る。タグリーダ３０は、アンテナ２７（図２を参照）を備える。アンテナ２７は、チェックアウトカウンタＴに埋設されている。アンテナ２７は、例えば、チェックアウトカウンタＴに向けた面に平面パッチアンテナを有する。
【００２３】
タグリーダ３０は、アンテナ２７から電波を送信する。アンテナ２７は、所定エリアＥ内に載置された商品Ｍに付された無線タグが発信したタグ情報を受信する。タグリーダ３０は、アンテナ２７で受信したタグ情報を読み取る。ＰＯＳ端末１は、読み取ったタグ情報に基づいて当該商品の種類を特定する商品コードを取得する。
【００２４】
次に、ＰＯＳ端末１のハードウェアについて説明する。図２は、ＰＯＳ端末１のハードウェア構成を示すブロック図である。図２に示すように、ＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するＰＯＳ端末１の制御処理を実行する。
【００２５】
ＲＡＭ１３は、商品情報部１３１と第１記憶部１３２と第２記憶部１３３を備える。商品情報部１３１については図５で後述する。第１記憶部１３２については図３で後述する。第２記憶部１３３については図４で後述する。
【００２６】
メモリ部１４は、ＨＤＤ（Hard  Disc  Drive）やフラッシュメモリ等で構成されており、電源を遮断しても記憶内容を維持する。メモリ部１４は、制御プログラム部１４１と商品マスタ１４２を備える。制御プログラム部１４１はＰＯＳ端末１を制御するための制御プログラムを記憶する。商品マスタ１４２は、商品を特定する商品コードに対応付けて当該商品の商品名、単価等の商品情報を記憶する。
【００２７】
制御部１００は、バス１５とコントローラ１６を介して、操作部２１、店員用表示部２２、客用表示部２３、プリンタ２４、カードリーダ２９、バーコードリーダ３３、タグリーダ３０、音声出力部２８を接続する。操作部２１は、一括取消キー２１１（第２取消指示部）、タグ取消キー２１２（第１取消指示部）、終了キー２１３を含むキーボードである。一括取消キー２１１は、商品コードを取得したすべての商品の商品コードおよび商品情報（すなわち、第１記憶部１３２に記憶された情報、第２記憶部１３３に記憶された情報、および商品情報部１３１に記憶された情報）を消去して、すべての商品の売上登録処理を取り消す際に操作する。タグ取消キー２１２は、商品コードを取得した商品のうち、第１記憶部１３２に記憶された商品の情報（商品コード）を消去する際に操作する。また、タグ取消キー２１２は、商品情報部１３１に記憶された商品情報のうち、第１記憶部１３２に記憶された分の商品の商品情報を取り消す際に操作する。終了キー２１３は、購入するすべての商品について売上登録処理が終了し、ＰＯＳ端末１による顧客の売上登録操作を終了する際に顧客が操作する。
【００２８】
バーコードリーダ３３は商品に付されたシンボルを光学的または撮像して読み取る。タグリーダ３０は、アンテナ２７を接続する。タグリーダ３０は、無線タグが発信し、アンテナ２７が受信したタグ情報を読み取る。音声出力部２８は、店員や顧客に音や音声で情報を報知する装置である。
【００２９】
また、制御部１００は、バス１５を介して、通信インタフェース（Ｉ／Ｆ）３２と接続している。通信インタフェース３２は、ＰＯＳ端末１の上位機器である店舗サーバ（図示せず）と、情報を送受信可能に接続している。
【００３０】
次に、第１記憶部１３２について説明する。第１記憶部１３２は、アンテナ２７が受信したタグ情報に基づいて取得した商品を特定する商品コード（第１物品特定情報）と、当該商品コードを取得した回数である取得数を記憶する。図３は、第１記憶部１３２のメモリ構成の一例を示す図である。図３に示すように、第１記憶部１３２は、商品コード部１３２１と取得数部１３２２を備える。第１記憶部１３２は、初めて取得した商品コードを商品コード部１３２１に記憶する。また、第１記憶部１３２は、初めて取得した商品コードについて、取得数部１３２２に取得数「１」を記憶する。また、第１記憶部１３２は、取得した商品コードが既に商品コード部１３２１に記憶されている場合には、当該商品コードについて、取得数部１３２２に記憶されている取得数を＋１カウントアップして記憶する。
【００３１】
図３の例では、商品コード部１３２１に記憶されている商品コード「４９００００１」について、取得数は「５」である。これは、読み取ったタグ情報に基づいて、商品コード「４９００００１」を５回取得したことを示す。また、商品コード「４９００００２」について、取得数は「２」であり、読み取ったタグ情報に基づいて商品コード「４９００００２」を２回取得したことを示す。また、商品コード「４９００００３」について、取得数は「１」であり、読み取ったタグ情報に基づいて商品コード「４９００００３」を１回取得したことを示す。
【００３２】
次に、第２記憶部１３３について説明する。第２記憶部１３３は、シンボルを読み取って取得した商品コード（第２物品特定情報）と、当該商品コードを取得した数を記憶する。図４は、第２記憶部１３３のメモリ構成の一例を示す図である。図４に示すように、第２記憶部１３３は、商品コード部１３３１と取得数部１３３２を備える。第２記憶部１３３は、初めて取得した商品コードを商品コード部１３３１に記憶する。また、第２記憶部１３３は、初めて取得した商品コードについて、取得数部１３３２に取得数「１」を記憶する。また、第２記憶部１３３は、取得した商品コードが既に商品コード部１３３１に記憶されている場合には、当該商品コードについて、取得数部１３３２に記憶されている取得数を＋１カウントアップして記憶する。
【００３３】
図４の例では、商品コード部１３３１に記憶されている商品コード「４９００００４」について、取得数は「４」である。これは、読み取ったシンボルに基づいて、商品コード「４９００００４」を４回取得したことを示す。また、商品コード「４９００００５」について、取得数は「２」であり、読み取ったシンボルに基づいて商品コード「４９００００５」を２回取得したことを示す。また、商品コード「４９００００６」について、取得数は「１」であり、読み取ったシンボルに基づいて商品コード「４９００００６」を１回取得したことを示す。
【００３４】
なお、同一の種類の商品を特定する商品コードは、第１物品特定情報であっても第２物品特定情報であっても同一のコードである。
【００３５】
次に、商品情報部１３１について説明する。商品情報部１３１は、ＰＯＳ端末１が売上登録処理を行った商品の商品情報（商品名、商品の価格、等）を記憶する。商品情報部１３１は、第１記憶部１３２および第２記憶部１３３に情報が記憶される際に同時に記憶される。例えば、第１記憶部１３２の商品コード部１３２１に最初に商品コード「４９００００１」が記憶される際には、商品情報部１３１の商品コード部１３１１にも同様の情報が記憶される。また、商品コード「４９００００１」について取得数部１３１２に取得数「５」が記憶される場合には、商品情報部１３１の取得数部１３１２にも取得数「５」が記憶される。
【００３６】
また、例えば、第２記憶部１３３の商品コード部１３３１に最初に商品コード「４９００００４」が記憶される際には、商品情報部１３１の商品コード部１３１１にも同様の情報が記憶される。また、商品コード「４９００００４」について取得数部１３２２に取得数「４」が記憶される場合には、商品情報部１３１の取得数部１３１２にも取得数「４」が記憶される。
【００３７】
ここからは、ＰＯＳ端末１の機能構成について説明する。図６は、ＰＯＳ端末１の機能構成を示す機能ブロック図である。図６に示すように、ＰＯＳ端末１の制御部１００は、制御プログラム部１４１に記憶され、ＲＡＭ１３に展開された制御プログラムに従うことで、タグ情報読取判断部１０１、第１記憶制御部１０２、商品コード取得判断部１０３、第２記憶制御部１０４、報知部１０５、表示部１０６、第１取消判断部１０７、第１取消制御部１０８、第２取消判断部１０９、第２取消制御部１１０として機能する。
【００３８】
タグ情報読取判断部１０１は、アンテナ２７が商品に付された無線タグに記憶されているタグ情報をアンテナ２７が受信して、タグリーダ３０が当該タグ情報を読み取ったかを判断する。
【００３９】
第１記憶制御部１０２は、アンテナ２７が受信した物品に付された無線タグに記憶されているタグ情報に基づいて取得した商品コード（第１物品特定情報）を第１記憶部１３２に記憶する。具体的には、アンテナ２７が受信したタグ情報をタグリーダ３０が読み取り、第１記憶制御部１０２は、タグリーダ３０が読み取ったタグ情報に基づいて取得した商品コードを第１記憶部１３２に記憶する。
【００４０】
また、第１記憶制御部１０２は、タグ情報読取判断部１０１が読み取ったタグ情報に含まれる個品コードに基づいて当該商品の種類を示す商品コードを取得して、同一種類の商品コード毎に商品コードの取得数を記憶する。具体的には、第１記憶制御部１０２は、商品コードを取得する毎に、取得数部１３２２に記憶されている当該商品コードの取得数を＋１カウントアップして記憶する。なお、商品コードは、商品の種類（例えば○○牛乳）を特定するコードである。個品コードは商品を一品ずつ個別に特定するコードである。同一の商品コードを有する商品であっても、個々の商品の個品コードは異なる。
【００４１】
商品コード取得判断部１０３は、商品に付されたシンボルに基づいて商品の種類を特定する商品コードを取得したかを判断する。具体的には、バーコードリーダ３３を用いて、商品に付されたシンボルを読み取る。商品コード取得判断部１０３は、バーコードリーダ３３が読み取ったシンボルに基づいて当該商品の商品コードを取得したかを判断する。
【００４２】
第２記憶制御部１０４は、無線タグ以外（実施形態では、読み取ったシンボル）に基づいて取得した商品コード（第２物品特定情報）を第２記憶部１３３に記憶する。具体的には、第２記憶制御部１０４は、バーコードリーダ３３が読み取ったシンボルに基づいて取得した商品コード（第２物品特定情報）を、第２記憶部１３３に記憶する。第２記憶制御部１０４は、商品コードを取得する毎に、取得数部１３３２に記憶されている当該商品コードの取得数を＋１カウントアップして記憶する。
【００４３】
報知部１０５は、第１記憶制御部１０２が第１物品特定情報としての商品コードを第１記憶部１３２に記憶した場合、および第２記憶制御部１０４が第２物品特定情報としての商品コードを第２記憶部１３３に記憶した場合に、音声出力部２８から音声を出力して報知する。
【００４４】
表示部１０６は、第１記憶部または第２記憶部に記憶された商品に係る商品コードを取得した媒体を示す情報を表示する。実施形態の場合、第１記憶制御部１０２が第１記憶部に商品コードを記憶した場合、および第２記憶制御部１０４が第２記憶部に商品コードを記憶した場合、商品コードを取得した媒体を示す情報を表示する。表示部１０６は、第１記憶制御部１０２が第１記憶部１３２に商品コードを記憶した場合には、媒体として無線タグを示す情報を表示する。また、表示部１０６は、第２記憶制御部１０４が第２記憶部１３３に商品コードを記憶した場合には、媒体としてバーコード（シンボル）を示す情報を表示する。
【００４５】
第１取消判断部１０７は、タグ取消キー２１２が操作されたかを判断する。
【００４６】
第１取消制御部１０８は、タグ取消キー２１２が操作されると、第１物品特定情報である商品コードで特定される種類の商品について取消処理を実行する。具体的には、第１取消制御部１０８は、第１取消判断部１０７がタグ取消キー２１２が操作されたと判断した場合には、第１記憶部１３２に記憶されている第１物品特定情報である商品コードで特定される種類の商品について一括で取消処理を実行する。取消処理とは、第１記憶部１３２に記憶されている商品コードと取得数をすべてクリアする処理である。また、第１取消制御部１０８は、商品情報部１３１に記憶されている商品情報のうち、第１記憶部１３２に記憶されている商品コードに基づいて売上登録処理された商品の商品情報をすべてクリアする。
【００４７】
第２取消判断部１０９は、一括取消キー２１１が操作されたかを判断する。
【００４８】
第２取消制御部は、一括取消キー２１１が操作されると、第１物品特定情報である商品コードおよび第２物品特定情報である商品コードについて取消処理を実行する。具体的には、第２取消制御部１１０は、第２取消判断部１０９が一括取消キー２１１が操作されたと判断した場合には、第１記憶部１３２に記憶されている商品コードおよび第２記憶部１３３に記憶されている商品コードについて取消処理を実行する。取消処理とは、第１記憶部１３２に記憶されている商品コードと取得数、および第２記憶部１３３に記憶されている商品コードと取得数をすべてクリアする処理である。また、第２取消制御部１１０は、商品情報部１３１に記憶されているすべての商品情報をすべてクリアする。
【００４９】
ここからは、ＰＯＳ端末１の制御について説明する。図７は、ＰＯＳ端末１の制御処理の流れを示すフローチャートである。図７に示すように、ＰＯＳ端末１の商品コード取得判断部１０３は、バーコードリーダ３３が読み取ったシンボルに基づいて商品の種類を特定する商品コードを取得したかを判断する（Ｓ１１）。
【００５０】
シンボルに基づく商品コードの取得ではないと判断した場合には（Ｓ１１のＮｏ）、次にタグ情報読取判断部１０１は、アンテナ２７が商品に付された無線タグに記憶されているタグ情報を受信して、タグリーダ３０が当該タグ情報を読み取ったかを判断する（Ｓ１２）。この場合、タグリーダ３０は、所定エリアＥ内に載置した商品に付された無線タグからタグ情報を一括で読み取る。タグ情報読取判断部１０１は、タグ情報を読み取ったかを判断する（Ｓ１２）。タグリーダ３０が当該タグ情報を読み取ったと判断した場合には（Ｓ１２のＹｅｓ）、制御部１００は、Ｓ１２で読み取ったと判断したタグ情報が、既に読み取られている重複情報であるかを判断する（Ｓ１３）。重複情報ではないと判断した場合には（Ｓ１３のＮｏ）、制御部１００は、タグ情報読取判断部１０１が読み取ったと判断したタグ情報に含まれる個品コードに基づいて、当該商品に種類を示す商品コードを取得する（Ｓ１４）。
【００５１】
次に第１記憶制御部１０２は、取得した商品コードについて、第１記憶部１３２に次の情報を記憶する（Ｓ１５）。すなわち、第１記憶制御部１０２は、取得した商品コードが商品コード部１３２１にすでに記憶されている場合には、当該商品コードに対応付けられている取得数部１３２２に記憶されている取得数を＋１カウントアップする（Ｓ１５）。また、第１記憶制御部１０２は、取得した商品コードが商品コード部１３２１にまだ記憶されていない場合には、当該商品コードを商品コード部１３２１に新たに記憶するとともに、当該商品コードに対応した取得数部１３２２に、取得数「１」を記憶する（Ｓ１５）。
【００５２】
次に表示部１０６は、取得した商品コードに基づいて、店員用表示部２２に、商品コードを取得した媒体（無線タグ）を示す情報（例えば、「無線タグ」）を表示部に表示する（Ｓ１６）。次に制御部１００は、取得した商品コードに基づいて、当該商品に係る売上登録処理を実行する（Ｓ１７）。次に報知部１０５は、取得した商品コードに基づいて売上登録処理を実行したことを示す報知音を鳴らす（報知する）（Ｓ１８）。そして制御部１００は、Ｓ１１に戻る。
【００５３】
一方、Ｓ１１において、商品コード取得判断部１０３が、シンボルに基づく商品コードを取得したと判断した場合には（Ｓ１１のＹｅｓ）、第２記憶制御部１０４は、商品に付されたシンボルを読み取って取得した商品コード毎の取得数を記憶する（Ｓ２１）。具体的には、第２記憶制御部１０４は、商品コード取得判断部１０３が取得した商品コードに基づいて、同一種類の商品コードの取得数を記憶する（Ｓ２１）。さらに具体的には、第２記憶制御部１０４は、取得した商品コードが商品コード部１３３１にすでに記憶されている場合には、当該商品コードに対応付けられている取得数部１３３２に記憶されている取得数を＋１カウントアップする（Ｓ２１）。また、取得した商品コードが商品コード部１３３１にまだ記憶されていない場合には、当該商品コードを商品コード部１３３１に新たに記憶するとともに、当該商品コードに対応した取得数部１３３２に、取得数「１」を記憶する（Ｓ２１）。
【００５４】
次に制御部１００は、店員用表示部２２に、商品コードを取得した媒体（無線タグ）を示す情報（例えば、「バーコード」）を表示部に表示する（Ｓ２２）。次に制御部１００は、Ｓ１７、Ｓ１８の処理を実行する。そして制御部１００は、Ｓ１１に戻る。
【００５５】
また、Ｓ１２の処理で、タグリーダ３０は当該タグ情報を読み取っていないと判断した場合には（Ｓ１２のＮｏ）、あるいは、Ｓ１３の処理で重複情報であると判断した場合には（Ｓ１３のＹｅｓ）、第２取消判断部１０９は、一括取消キー２１１が操作されたかを判断する（Ｓ３１）。一括取消キー２１１が操作されたと判断した場合には（Ｓ３１のＹｅｓ）、第２取消制御部１１０は、第１記憶部１３２と第２記憶部１３３に記憶されているすべての情報（商品コード、取得数）をクリアする一括取消処理を実行する（Ｓ３２）。また、第２取消制御部１１０は、商品情報部１３１に記憶されているすべての商品情報をクリアする。そして制御部１００は、Ｓ１１に戻る。
【００５６】
また、第２取消判断部１０９が、一括取消キー２１１の操作ではないと判断した場合には（Ｓ３１のＮｏ）、第１取消判断部１０７は、タグ取消キー２１２が操作されたかを判断する（Ｓ３３）。タグ取消キー２１２が操作されたと判断した場合には（Ｓ３３のＹｅｓ）、第１取消制御部１０８は、第１記憶部１３２に記憶されているすべての情報（商品コード、取得数）をクリアするタグ取消処理を実行する（Ｓ３４）。また、第２取消制御部１１０は、商品情報部１３１に記憶されている商品情報のうち、第１記憶部１３２に記憶されている商品コード対応した商品情報をすべてクリアする。そして制御部１００は、Ｓ１１に戻る。
【００５７】
また、第１取消判断部１０７が、タグ取消キー２１２の操作ではないと判断した場合には（Ｓ３３のＮｏ）、制御部１００は、終了キー２１３が操作されたかを判断する（Ｓ３５）。終了キー２１３が操作されと判断した場合には（Ｓ３５のＹｅｓ）、制御部１００は、商品情報部１３１に記憶されている商品情報に基づいて、当該商品に係る決済処理を実行する（Ｓ３６）。そして制御部１００は、第１記憶部１３２と第２記憶部１３３に記憶されているすべての情報（商品コード、取得数）をクリアする（Ｓ３７）。そして制御部１００は、Ｓ１１に戻る。
【００５８】
また、終了キー２１３の操作ではないと判断した場合には（Ｓ３５のＮｏ）、制御部１００は、Ｓ１１に戻る。
【００５９】
このような実施形態によれば、無線タグから読み取ったタグ情報に基づいて取得した商品コードの商品を返品等で取り消す場合には、タグ取消キー２１２を操作することで第１記憶部１３２に記憶されている情報のみをクリアし、第２記憶部１３３に記憶されている、読み取ったシンボルから取得した商品コードの情報はクリアしない。そのため、無線タグが付されている商品について取消操作を行った場合に、すべての商品について最初から読取操作を行わなくてもよい。
【００６０】
また、実施形態によれば、取消操作を行った無線タグが付された複数の商品について、当該商品のタグ情報を読み取るために、当該複数の商品から返品した商品を除いて所定エリアＥ内に載置すれば、再度一括して読み取ることができる。
【００６１】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６２】
例えば、実施形態では、タグ以外で第２物品特定情報としての商品コードの取得するために、商品に付されたシンボルを読み取った。しかしながらこれに限らず、例えば、操作部２１に設けられたワンタッチキーに商品の情報を割り振り、当該ワンタッチキーを操作して第２物品特定情報としての商品コードを取得するようにしてもよい。この場合、取得した商品コードを第２記憶部１３３に記憶する。
【００６３】
また、実施形態では、商品を物品の一例として説明した。しかしながらこれに限らず、例えば箱詰めの際に検品処理を行う物品等であってもよい。
【００６４】
また、実施形態では、タグリーダ３０が、所定エリアＥ内に載置された商品に付された無線タグから、一括してタグ情報を読み取るようにした。しかしながらこれに限らず、例えば、商品を一品ずつ取り上げて、当該商品に付された無線タグを読ませるようにしてもよい。
【００６５】
なお、実施形態のＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００６６】
また、実施形態のＰＯＳ端末１で実行されるプログラムを、インターネット等のネットワークに接続されたコンピュータ上に格納し、ネットワーク経由でダウンロードさせることにより提供するように構成しても良い。また、実施形態のＰＯＳ端末１で実行されるプログラムをインターネット等のネットワーク経由で提供または配布するように構成しても良い。
【００６７】
また、実施形態のＰＯＳ端末１で実行されるプログラムを、ＲＯＭ等に予め組み込んで提供するように構成してもよい。
【符号の説明】
【００６８】
１      ＰＯＳ端末
２      本体
３      店員用表示部
１１    ＣＰＵ
１２    ＲＯＭ
１３    ＲＡＭ
１４    メモリ部
２１    操作部
２２    店員用表示部
２３    客用表示部
２４    プリンタ
２７    アンテナ
２８    音声出力部
３０    タグリーダ
３３    バーコードリーダ
３５    読取装置
１００  制御部
１０１  タグ情報読取判断部
１０２  第１記憶制御部
１０３  商品コード取得判断部
１０４  第２記憶制御部
１０５  報知部
１０６  表示部
１０７  第１取消判断部
１０８  第１取消制御部
１０９  第２取消判断部
１１０  第２取消制御部
１３１  商品情報部
１３２  第１記憶部
１３３  第２記憶部
１４１  制御プログラム部
１４２  商品マスタ
２１１  一括取消キー
２１２  タグ取消キー
２１３  終了キー
１３１１  商品コード部
１３１２  取得数部
１３２１  商品コード部
１３２２  取得数部
１３３１  商品コード部
１３３２  取得数部
Ｅ      所定エリア
【先行技術文献】
【特許文献】
【００６９】
【特許文献１】特開２００４−１５７７４４号公報
【図１】
2020135400.tif 000003
【図２】
2020135400.tif 000004
【図３】
2020135400.tif 000005
【図４】
2020135400.tif 000006
【図５】
2020135400.tif 000007
【図６】
2020135400.tif 000008
【図７】
2020135400.tif 000009